(57)【要約】【課題】トレイの着脱が容易であり、かつ、振動などによってもトレイが容易に外れにくいナースカートを提供する。【解決手段】ナースカート１は、キャスタ１５を備えるベース部１３と、ベース部１３に立てて設けられ、複数の係止孔１１１を有する支柱部１１と、上面が開放された立体形状をなし、底部１２２に配置され、前方に屈曲するフック１２６Ｂ並びに前方向の動きを規制する規制部材１２６Ａ、及び左右方向の動きを規制する一対のガイド爪１２５Ａを有するトレイ１２と、フック１２６Ｂを端部において係合するフック穴１６６を有し、規制部材１２６Ａ及びガイド爪１２５Ａに嵌め込まれる載置部１６１及び載置部１６１を支柱部１１に係止する上向係止突起１６３及び下向係止突起１６４を有する載置部材１６と、を備える。【選択図】図１５
2018068921.tif 000002
【特許請求の範囲】
【請求項１】
キャスタを備えるベース部と、
前記ベース部に立てて設けられ、複数の係止孔を有する支柱部と、
上面が開放された立体形状をなし、底部に配置され、前方に屈曲するフック並びに前方向の動きを規制する規制部材、及び左右方向の動きを規制する一対のガイド爪を有するトレイと、
前記フックを端部において係合するフック穴を有し、前記規制部材及び前記ガイド爪に嵌め込まれる載置部及び前記載置部を前記支柱部に係止する上向係止突起及び下向係止突起を有する載置部材と、
を備えるナースカート。
【請求項２】
キャスタを備えるベース部と、
前記ベース部に立てて設けられ、複数の係止孔を有する支柱部と、
上面が開放された立体形状をなし、後端面に設けられる凹部に上方に屈曲する上方爪部を有するトレイと、
前記係止孔に挿通されることにより前記トレイを載置する載置部を前記支柱部に係止する上向係止突起及び下向係止突起を有する載置部材と、
前記係止孔に挿通される係合爪及び前記トレイが前記載置部材に載置され、前記係合爪が前記係止孔に挿通された状態において下方にスライドされたときに前記上方爪部と噛み合う下方爪部を有する係合部材と、
を備えるナースカート。
【請求項３】
前記下方爪部は、
後方に屈曲する請求項２に記載のナースカート。
【請求項４】
前記トレイは、
底面に前記載置部を把持する複数の把持爪を備える請求項２に記載のナースカート。
【請求項５】
前記係止孔は、
前記支柱部の正面及び背面に、各２列に設けられる請求項１から請求項４までのいずれか１項に記載のナースカート。
【請求項６】
前記支柱部は、
水平断面が略円形をなす請求項１から請求項５までのいずれか１項に記載のナースカート。
【発明の詳細な説明】
【技術分野】
【０００１】
本発明は、ナースカートに関するものである。
【背景技術】
【０００２】
病院等の医療の現場において、ノートパソコン、薬剤、器具等、種々の資材を運搬するためにナースカートが使用されてきた。このナースカートは、キャスタを有するベース部と、ベース部に立てて設けられる支柱部と、支柱部に支持されるトレイと、支柱部の上端部に設けられる天板と、を備える。
【０００３】
トレイについては、清掃や消毒を頻繁に行う必要があるため、着脱可能であることが望ましい。
【０００４】
この点に関し、支柱に係止孔を複数設け、この係止孔に係合する係止突起を有するブラケットにトレイの外周を嵌め込むリングを結合させ、ブラケットを係止突起が係止孔に嵌まり込むように係止させ、リングにトレイを嵌め込むナースカートが提案されている（例えば、特許文献１。）。
【０００５】
しかし、この技術によれば、ナースカートを移動させるとき等に大きな振動が加わると、トレイ又はブラケット自体が外れる可能性がある。
【０００６】
これに対し、トレイにビス止めされ、ブラケットの振動を規制する抜け止め機構を、係止突起が係止孔に入った状態において係止孔に合わせて差し込むことによりブラケットのがたつきを抑え込み、さらにトレイをブラケットにビス止めすることによりトレイが外れることを防止する技術が提案されている（例えば、特許文献２。）。
【０００７】
しかし、今度はトレイの着脱において、いちいちビスを閉めたり緩めたりする必要があり、煩わしいものとなっている。
【先行技術文献】
【特許文献】
【０００８】
【特許文献１】特開２０１４−１８３８６号公報
【特許文献２】特許第５８５１２０３号公報
【発明の概要】
【発明が解決しようとする課題】
【０００９】
本発明の解決しようとする課題は、トレイの着脱が容易であり、かつ、振動などによってもトレイが容易に外れにくいナースカートを提供することである。
【課題を解決するための手段】
【００１０】
本発明は、キャスタを備えるベース部と、前記ベース部に立てて設けられ、複数の係止孔を有する支柱部と、上面が開放された立体形状をなし、底部に配置され、前方に屈曲するフック並びに前方向の動きを規制する規制部材、及び左右方向の動きを規制する一対のガイド爪を有するトレイと、前記フックを端部において係合するフック穴を有し、前記規制部材及び前記ガイド爪に嵌め込まれる載置部及び前記載置部を前記支柱部に係止する上向係止突起及び下向係止突起を有する載置部材と、を備えるナースカートを提供する。
【発明の効果】
【００１１】
本発明によれば、トレイの着脱が容易であり、かつ、振動などによってもトレイが外れにくいナースカートを提供することができる。
【図面の簡単な説明】
【００１２】
【図１】第１の実施形態に係るナースカートの斜視図。
【図２】トレイを取り外したナースカートの正面図。
【図３】トレイの斜視図。
【図４】トレイの後端面を表す図。
【図５】トレイの左側面図。
【図６】トレイの底面図。
【図７】載置部材の斜視図。
【図８】係合部材の斜視図。
【図９】係合部材の左側面図。
【図１０】係合部材の平面図。
【図１１】トレイの支柱部への取り付け方を示す図。
【図１２】第２の実施形態に係るトレイの下方から見た斜視図。
【図１３】第２の実施形態に係る載置部材の上方から見た斜視図。
【図１４】第２の実施形態に係る載置部材の下方から見た斜視図。
【図１５】トレイを支柱部に取り付けた場合の下方から見た斜視図。
【図１６】ナースカートのトレイ付近の垂直断面図。
【図１７】支柱部の図１６におけるＡＡ線断面図。
【発明を実施するための形態】
【００１３】
以下、本発明の実施形態の一例にかかるナースカート１を、図面を参照しながら説明する。
【００１４】
（第１の実施形態）
図１は、本実施形態のナースカート１の斜視図である。図１に示すように、ナースカート１は、ベース部１３と、１本の支柱部１１と、トレイ１２と、天板１０と、を備える。
【００１５】
ベース部１３は、２本の平行な縦部材１３Ａと、縦部材１３Ａを互いに連結させる横部材１３Ｂと、を備える。縦部材１３Ａは水平方向に延びる、断面が矩形の棒状部材である。縦部材１３Ａは横部材１３Ｂよりも長さが長い。ここで、縦部材１３Ａの長手方向を前後方向といい、前後方向に対して水平方向に垂直な方向を左右方向といい、鉛直上下方向を上下方向という。縦部材１３Ａの前後方向端部にはキャスタ１５がそれぞれ設置される。
【００１６】
横部材１３Ｂは縦部材１３Ａが伸びる方向の中間位置よりも後方側に寄せて設置される。横部材１３Ｂの上面の中央部分には支柱部１１が立てて設けられる。また、横部材１３Ｂの支柱部１１が設けられる位置の下面側にはストッパ１４が設けられる。支柱部１１の水平断面は外形が略円形である。
【００１７】
ストッパ１４は、ペダルと、上下伸長部と、回転部と、を備える。ペダルを踏むと上下伸長部は床面方向にナースカート１を数センチメートル浮かせるように伸びる。回転部は上下伸長部の下端に設置され、水平方向に回転する。従って、上下伸長部が伸びた状態において天板１０を回転させると、ナースカート１は回転部を中心としてその場において回転する。
【００１８】
トレイ１２は、上面が解放する略箱型形状をなす。トレイ１２は、トレイ１２を載置する載置部材１６と、トレイ１２を係合する係合部材１７と、によって支柱部１１に係止される。
【００１９】
天板１０は、上端面が略平面形状の平面部１０Ｃと、平面部１０Ｃの水平方向端部の全周に設けられる把持部１０Ｈと、を備える。把持部１０Ｈは、平面部１０Ｃの前後方向両端部にそれぞれ設けられる主把持部１０Ａと、平面部１０Ｃの左右方向両端部にそれぞれ設けられる副把持部１０Ｂと、を備える。
【００２０】
主把持部１０Ａと副把持部１０Ｂは、天板１０の厚さより上下方向の厚さが厚く、天板１０の上端面及び下端面から突出する。主把持部１０Ａは副把持部１０Ｂよりも上下方向の厚さが厚い。主把持部１０Ａと副把持部１０Ｂとは平面部の四隅においてなめらかに連結する。この四隅は、特に手を用いて把持するのに向いている。
【００２１】
図２は、トレイ１２を取り外したナースカート１の正面図である。支柱部１１の背面図は支柱部１１の正面図と同様に現れる。図２に示すように、支柱部１１は、正面視において上下方向に複数の係止孔１１１を２列有する。係止孔１１１は、縦幅が横幅より長く、載置部材１６の上向係止突起１６３及び下向係止突起１６４（図７参照。）が差し込まれるのに十分な奥行きを有する。係止孔１１１は、支柱部１１の正面及び背面に、各２列に設けられる。
【００２２】
図３は、トレイ１２の斜視図である。図３に示すように、トレイ１２は上面が開放されたほぼ矩形をなし、底部１２２を水平方向端部において囲む立壁１２１を有する。
【００２３】
立壁１２１は、支柱部１１の曲面に合わせてへこませた凹部１２３と、凹部１２３に上方に延びる上方爪部１２４と、を有する。上方爪部１２４は、凹部の上下方向中心部から後方に延び、屈曲した後上方に延びる。上方爪部１２４もまた、支柱部１１の曲面に合わせて前方に向かって凹となる。
【００２４】
図４はトレイ１２の後端面を表す図、図５はトレイ１２の左側面図、図６はトレイ１２の底面図である。図４から図６までに示すように、トレイ１２は、外底面に載置部材１６の載置部１６１（図７参照。）をスライド可能に把持する複数の把持爪１２５と、載置部１６１のスライドを規制する規制部材１２６と、を備える。把持爪１２５は、載置部１６１を前後方向にスライド可能なように、それぞれ間隔をあけて設置される。
【００２５】
図７は、載置部材１６の斜視図である。図７に示すように、載置部材１６は、把持爪１２５によって把持され、トレイ１２が載置される載置部１６１と、載置部１６１とビス止めされ、上方に屈曲する上向係止突起１６３及び下方に屈曲する下向係止突起１６４を有するブラケット部１６２と、を備える。
【００２６】
載置部１６１は、平面視がほぼ矩形をなし、板状部材を用いて略水平に形成される。ブラケット部１６２は、載置部１６１の下方に延びるアーム１６５を２本備える。載置部１６１はブラケット部にビス止めされる。
【００２７】
上向係止突起１６３及び下向係止突起１６４は上下に並べて配置される。ブラケット部１６２は上向係止突起１６３と下向係止突起１６４の組を左右方向に１対有する。
【００２８】
図８は係合部材１７の斜視図、図９は係合部材１７の左側面図、図１０は係合部材１７の平面図である。
【００２９】
図８から図１０までに示すように、係合部材１７は本体部１７１が支柱部１１の曲面を略半周囲むように半円弧状に形成される。係合部材１７は左右の両端部に後方に向かって伸びる二つ一組の係合爪１７２を一対備える。また、係合部材１７は本体部１７１の前端下部に下方に屈曲する下方爪部１７３を備える。下方爪部１７３は後方側に若干屈曲する。
【００３０】
図１１は、トレイ１２の支柱部１１への取り付け方を示す図である。図１１に示すように、まず載置部材１６の上向係止突起１６３及び下向係止突起１６４が支柱部１１の係止孔１１１に挿通され、載置部材１６が支柱部に着脱可能に係止される。
【００３１】
次に、載置部材１６の載置部１６１がトレイ１２の把持爪１２５に、規制部材１２６に達するまで差し込まれる。
【００３２】
次に、係合部材１７の係合爪１７２を支柱部１１の係止孔１１１に挿通し、下方にスライドさせる。そうすると、トレイ１２の上方爪部１２４と係合部材１７の下方爪部１７３とが噛み合う。下方爪部１７３は後方側に若干屈曲しているため、この噛み合いは若干きついものとなる。
【００３３】
このようにトレイ１２を支柱部１１に支持させると、前後方向の揺れに対してはトレイ１２の上方爪部１２４と係合部材１７の下方爪部１７３との噛み合いによって規制され、左右方向の揺れは載置部材１６の上向係止突起１６３及び下向係止突起１６４が支柱部１１に係止されていることにより規制され、上下方向の揺れはトレイ１２の上方爪部１２４と係合部材１７の下方爪部１７３とが若干きつく噛み合うことにより規制される。そして、トレイ１２を外す場合には、逆の動作を行えば、容易にトレイ１２を外すことができる。
【００３４】
以上述べたように、本実施形態のナースカート１は、キャスタ１５を備えるベース部１３と、ベース部１３に立てて設けられ、複数の係止孔１１１を有する支柱部１１と、上面が開放された立体形状をなし、後端面に設けられる凹部１２３に上方に屈曲する上方爪部１２４を有するトレイ１２と、係止孔１１１に挿通されることによりトレイ１２を載置する載置部１６１を支柱部１１に係止する上向係止突起１６３及び下向係止突起１６４を有する載置部材１６と、係止孔１１１に挿通される係合爪１７２及びトレイ１２が載置部材１６に載置され、係合爪１７２が係止孔１１１に挿通された状態において下方にスライドされたときに上方爪部１２４と噛み合う下方爪部１７３を有する係合部材１７と、を備える。
【００３５】
従って、本実施形態のナースカート１は、トレイ１２が振動によっては容易に外れず、かつ、容易に着脱できるという効果がある。
【００３６】
（第２の実施形態）
本実施形態のナースカート１の構成は、トレイ１２の支柱部１１への取り付け構造が第１の実施形態のナースカート２と異なる以外は、第１の実施形態のナースカート１の構成と同様である。従って、トレイ１２の支柱部１１への取り付け構造についてのみ、以下に説明する。
【００３７】
図１２は、本実施形態のトレイ１２の下方から見た斜視図である。図１２に示すように、トレイ１２は、底部１２２に対向して配置される一対のガイド爪１２５Ａと、底部１２２の支柱部の側端部に配置される規制部材１２６Ａと、底部１２２の左右方向の中央部に前後方向に並べて設けられるフック１２６Ｂと、を備える。
【００３８】
ガイド爪１２５Ａは、前後方向に長く設けられる。ガイド爪１２５Ａの対抗面は平坦である。
【００３９】
規制部材１２６Ａは、支柱部１１が嵌まる凹部を挟み、左右方向に一対設けられる。図１２に向かって左側の規制部材１２６Ａは、後端部と右端部が閉じて底部１２２に連結する。図１２に向かって右側の規制部材１２６Ａは向かって左側の規制部材と左右方向の中心を通る対称線に対して対称に設けられる。
【００４０】
フック１２６Ｂは、後方から前方に向かって屈曲する。
【００４１】
図１３は本実施形態の載置部材１６の上方から見た斜視図、図１４は載置部材１６の下方から見た斜視図である。図１３に示すように、本実施形態の載置部材１６の構成は、第１の実施形態の載置部材１６の構成と、フック穴１６６が設けられる点を除いて同様である。
【００４２】
フック穴１６６は、載置部１６１の幅方向中央部に、前後方向に並べて二つ設けられる。フック穴１６６の大きさは、フック１２６Ｂを嵌め込むのに十分な大きさである。
【００４３】
トレイ１２は、載置部１６１に矢印Ｘ１に示す方向、つまり上方から載せられて、前方向にスライドされることにより係止される。
【００４４】
図１５は、トレイ１２を支柱部に取り付けた場合の下方から見た斜視図である。図１５に示すように、トレイ１２を載置部材１６に上方から載せて前方向にスライドさせると、フック１２６Ｂがフック穴１６６に挿通され、フック穴１６６の前端部に嵌まり込む。
【００４５】
これと同時に、規制部材１２６Ａは載置部１６１の後端部に嵌まり込む。この時、トレイ１２は、前方へのスライドが規制部材１２６Ａ及びフック穴１６６によって規制される。
【００４６】
このように、トレイ１２を規制部材１２６Ａに取り付けた後に、矢印Ｘ２に示すように、ブラケット部１６２の上向係止突起１６３と下向係止突起１６４とを支柱部１１の係止孔１１１に挿入し、下方にスライドさせる。
【００４７】
図１６は、本実施形態のナースカート１のトレイ１２付近の垂直断面図である。図１６においては支柱部１１の内部機構は省略してある。上述ようにトレイ１２を、載置部材１６を介して取り付けると、トレイ１２は前向きの動きが規制部材１２６Ａ及びフック穴１６６によって規制され、後ろ向きの動きが支柱部１１によって規制される。また、左右方向の動きはガイド爪１２５Ａと規制部材１２６Ａによって規制される。
【００４８】
（支柱部の構造）
図１７は、支柱部１１の図１６におけるＡＡ線断面図である。支柱部１１の構造は、第１の実施形態及び第２の実施形態において共通する。図１７に示すように、支柱部１１は、外縁部が略円形をなし、左右に２対の係止孔１１１の列を有する支柱本体部１１０と、支柱本体部１１０の内部に配置される昇降部材１１２と、昇降部材１１２を支柱本体部１１０にスライド可能に支持するローラ部１１３と、を備える。
【００４９】
支柱本体部１１０は、昇降部材１１２、ローラ部１１３、及び係止孔１１１の列を、支柱部１１の水平断面積がより小さくなり、かつ見栄えが損なわれないように配置される。この結果、支柱部１１の水平断面はほぼ円形となる。
【００５０】
以上述べたように、本実施形態のナースカート１は、キャスタ１５を備えるベース部１３と、ベース部１３に立てて設けられ、複数の係止孔１１１を有する支柱部１１と、上面が開放された立体形状をなし、底部１２２に配置され、前方に屈曲するフック１２６Ｂ並びに前方向の動きを規制する規制部材１２６Ａ、及び左右方向の動きを規制する一対のガイド爪１２５Ａを有するトレイ１２と、フック１２６Ｂを端部において係合するフック穴１６６を有し、規制部材１２６Ａ及びガイド爪１２５Ａに嵌め込まれる載置部１６１及び載置部１６１を支柱部１１に係止する上向係止突起１６３及び下向係止突起１６４を有する載置部材１６と、を備える。
【００５１】
また、本実施形態のナースカート１は、支柱部１１は、水平断面が略円形をなす。
【００５２】
従って、本実施形態のナースカート１は、より少ない部品点数によって前後方向及び左右方向の動きが規制される状態によりトレイ１２を支柱に取り付けることが可能となる。また、支柱部１１は、水平断面が略円形であるため、断面積を小さくすることができるとともに、見栄えを良くし、かつ方向性を意識させることがなくなるという効果がある。
【符号の説明】
【００５３】
１  ナースカート
２  ナースカート
１０  天板
１０Ａ  主把持部
１０Ｂ  副把持部
１０Ｃ  平面部
１０Ｈ  把持部
１１  支柱部
１２  トレイ
１３  ベース部
１３Ａ  縦部材
１３Ｂ  横部材
１４  ストッパ
１５  キャスタ
１６  載置部材
１７  係合部材
１１０  支柱本体部
１１１  係止孔
１１２  昇降部材
１１３  ローラ部
１２１  立壁
１２２  底部
１２３  凹部
１２４  上方爪部
１２５  把持爪
１２５Ａ  ガイド爪
１２６  規制部材
１２６Ａ  規制部材
１２６Ｂ  フック
１６１  載置部
１６２  ブラケット部
１６３  上向係止突起
１６４  下向係止突起
１６５  アーム
１６６  フック穴
１７１  本体部
１７２  係合爪
１７３  下方爪部
【図１】
2018068921.tif 000003
【図２】
2018068921.tif 000004
【図３】
2018068921.tif 000005
【図４】
2018068921.tif 000006
【図５】
2018068921.tif 000007
【図６】
2018068921.tif 000008
【図７】
2018068921.tif 000009
【図８】
2018068921.tif 000010
【図９】
2018068921.tif 000011
【図１０】
2018068921.tif 000012
【図１１】
2018068921.tif 000013
【図１２】
2018068921.tif 000014
【図１３】
2018068921.tif 000015
【図１４】
2018068921.tif 000016
【図１５】
2018068921.tif 000017
【図１６】
2018068921.tif 000018
【図１７】
2018068921.tif 000019